(57)【特許請求の範囲】
【請求項１】
器具本体に取り付けられ、直管形ランプの端部を覆うランプカバーであり、
前記器具本体に固定されたカバー本体であって、前記器具本体に接した取付接部と、前記直管形ランプの中心軸を挟んだ両側の各々に、前記取付接部から立ち上がった立上げ部とを有するカバー本体と、
Ｕ字形状に形成され、前記直管形ランプの端部の周囲の一部を囲んだカバー部であって、両側の端部に細孔状のスライドガイドが形成されており、前記両側の端部の各々に形成された前記スライドガイドに取付部材が挿通されて前記立上げ部に取り付けされることにより、前記カバー本体に対して移動可能に取り付けられたカバー部と
を備え、
前記スライドガイドは、前記取付部材によって前記カバー部が固定された場合に前記カバー部の前記両側の端部の先端である側部が前記カバー本体に接して前記カバー部が前記直管形ランプの端部の周囲の一部を囲んだ状態になる第１位置から前記器具本体側に延びた第１直線部と、前記第１直線部の前記器具本体側の端部から前記直管形ランプの端部側に延びた第２直線部と、前記第２直線部の直管形ランプの端部側の端部から前記器具本体の反対側に延びた第３直線部と、前記第３直線部の前記器具本体の反対側の端部から前記直管形ランプの端部の反対側に延びた第４直線部とを有するランプカバー。
【請求項２】
前記第１直線部と前記第２直線部とは直角であり、前記第２直線部と前記第３直線部とは直角であり、前記第３直線部と前記第４直線部とは直角である
請求項１に記載のランプカバー。
【請求項３】
請求項１又は２に記載のランプカバーを備える照明器具。
【発明の詳細な説明】
【技術分野】
【０００１】
この発明は、ＬＥＤ（Ｌｉｇｈｔ  Ｅｍｉｔｔｉｎｇ  Ｄｉｏｄｅ：発光ダイオード）が光源として装着される照明器具、及びこの照明器具に用いられるランプカバーに関する。
【背景技術】
【０００２】
ＬＥＤの直管形ランプが光源として装着される場合、樹脂素材からなる直管形ランプの口金を不燃材で覆う構造にする必要がある。また、指定したランプ以外のランプが取り付けられてしまうことを防止するために、ランプを容易に交換できない構造にすることが望まれる場合がある。
【０００３】
特許文献１には、ＬＥＤの直管形ランプの口金周辺を囲んだランプカバーを備える照明器具が記載されている。特許文献１では、ランプカバーを備えることにより、直管形ランプが不用意に取り外され、指定していない直管形ランプが取り付けられることの防止を図っている。
【先行技術文献】
【特許文献】
【０００４】
【特許文献１】特開２０１４−０９６２３０号公報
【発明の概要】
【発明が解決しようとする課題】
【０００５】
特許文献１に記載されたランプカバーは、照明器具の器具本体に固定されている。直管形ランプを交換するためには、ランプカバーを取り外し、直管形ランプを交換した後に、ランプカバーを再び取り付ける必要がある。この際、ランプカバーを取り付けていたネジを外す必要があり、ネジを紛失する恐れがある。
この発明は、直管形ランプを交換する際のランプカバーに関する作業性を向上させることを目的とする。
【課題を解決するための手段】
【０００６】
この発明に係るランプカバーは、
照明器具に取り付けられ、直管形ランプの端部を覆うランプカバーであり、
前記照明器具に固定されたカバー本体と、
Ｕ字形状に形成され、前記直管形ランプの端部の周囲の一部を囲んだカバー部であって、前記カバー本体に対して移動可能に取り付けられたカバー部と
を備える。
【発明の効果】
【０００７】
この発明では、ランプカバーを取り外すことなく、ランプカバーを移動させることにより、直管形ランプを交換することが可能である。そのため、直管形ランプを交換する際のランプカバーに関する作業性が向上する。
【図面の簡単な説明】
【０００８】
【図１】実施の形態１に係る照明装置５００を示す斜視図。
【図２】図１の照明装置５００の分解斜視図。
【図３】実施の形態１に係るカバー本体１３１を示す斜視図。
【図４】図３のカバー本体１３１を示す図であり、（ａ）はカバー本体１３１の平面図、（ｂ）は（ａ）のＡ−Ａ断面図、（ｃ）はカバー本体１３１の側面図。
【図５】実施の形態１に係るカバー部１３２を示す斜視図。
【図６】図５のカバー部１３２を示す図であり、（ａ）はカバー部１３２の正面図、（ｂ）はカバー部１３２の平面図、（ｃ）はカバー部１３２の左側面図、（ｄ）はカバー部１３２の右側面図。
【図７】実施の形態１に係るカバー本体１３１が本体カバー部１２０に取り付けられた状態を示す斜視図。
【図８】実施の形態１に係るカバー部１３２がカバー本体１３１に取り付けられた状態を示す斜視図。
【図９】実施の形態１に係る本体カバー部１２０が本体フレーム部１１０に取り付けられた状態を示す斜視図。
【図１０】実施の形態１に係る直管形ランプ２００の口金２０１がランプソケット１１２に装着された状態を示す斜視図。
【図１１】実施の形態１に係るカバー部１３２がカバー本体１３１に対して移動する工程を示す図。
【図１２】実施の形態１に係るカバー部１３２がカバー本体１３１に対して移動する工程を示す図。
【図１３】実施の形態１に係るカバー部１３２がカバー本体１３１に対して移動する工程を示す図。
【図１４】実施の形態１に係るカバー部１３２がカバー本体１３１に対して移動する工程を示す図。
【図１５】実施の形態１に係るカバー部１３２がカバー本体１３１に対して移動する工程を示す図。
【図１６】実施の形態２に係るカバー部１３２Ｂを示す斜視図。
【図１７】実施の形態２に係るカバー部１３２Ｂがカバー本体１３１に対して移動する工程を示す図。
【図１８】実施の形態２に係るカバー部１３２Ｂがカバー本体１３１に対して移動する工程を示す図。
【図１９】実施の形態２に係るカバー部１３２Ｂがカバー本体１３１に対して移動する工程を示す図。
【発明を実施するための形態】
【０００９】
以下、本発明の実施の形態について、図を用いて説明する。なお、以下に説明する実施の形態によって本発明が限定されるものではない。また、以下の図面では各構成部材の大きさの関係が実際のものとは異なる場合がある。また、実施の形態の説明において、上、下、左、右、前、後、表、裏といった方向あるいは位置が示されている場合、それらの表記は、説明の便宜上、そのように記載しているだけであって、装置、器具、部品等の配置や向き等を限定するものではない。
【００１０】
実施の形態１．
＊＊＊構成の説明＊＊＊
図１及び図２を参照して、実施の形態１に係る照明装置５００の構成を説明する。
照明装置５００は、具体例としては、非常用照明装置である。
照明装置５００は、照明器具１００と、この照明器具１００に取り付けられる直管形ランプ２００とを有する。直管形ランプ２００は、具体的には、直管形ＬＥＤランプである。
【００１１】
照明器具１００は、本体フレーム部１１０と、この本体フレーム部１１０に取り付けられる本体カバー部１２０と、この本体カバー部１２０に取り付けられるランプカバー１３０とを有する。
本体フレーム部１１０は、器具本体３００のうちのフレームの部分である。
また、本体カバー部１２０は、器具本体３００のうちの反射板及び化粧カバーの部分である。
本体カバー部と本体フレーム部とを合わせて器具本体３００ともいう。
【００１２】
＜本体フレーム部１１０＞
図１及び図２を参照して、実施の形態１に係る本体フレーム部１１０の構成を説明する。
本体フレーム部１１０は、長尺状のフレーム部１１１と、このフレーム部１１１の長手方向の両端に設けられたカバー取付部１１７と、カバー取付部１１７から照射側に突き出して設けられたランプソケット１１２とを備える。
また、本体フレーム部１１０は、常用時に直管形ランプ２００に電力を供給する常用電源ユニット１１３と、非常時に直管形ランプ２００に電力を供給する非常用電源ユニット１１４とが配置される。また、本体フレーム部１１０は、フレーム部１１１に取り付けられるバッテリ１１５、引き紐スイッチ１１６を備える。
【００１３】
ランプソケット１１２には、直管形ランプ２００が装着される。直管形ランプ２００は、長手方向の両端部に口金２０１を有する。ランプソケット１１２には、直管形ランプ２００の口金２０１が装着される。
カバー取付部１１７には、摘みネジ１２０２等の固定部材を用いて本体カバー部１２０を固定するための固定穴が形成される。
【００１４】
常用電源ユニット１１３は、停電などの災害がない常用時に、直管形ランプ２００を点灯させる。常用電源ユニット１１３は、常用時に、商用電源からの電力を変換してランプソケット１１２を介して直管形ランプ２００に電力を供給する。なお、常用電源ユニット１１３と直管形ランプ２００への結線ルートは、非常用電源ユニット１１４を介する場合と介さない場合の２通りがあり、この実施の形態では、非常用電源ユニット１１４を介するものである。
【００１５】
非常用電源ユニット１１４は、停電などの災害が発生した非常時に、直管形ランプ２００を点灯させる。非常用電源ユニット１１４は、非常時に、バッテリ１１５の電力によって動作し、ランプソケット１１２を介して直管形ランプ２００に電力を供給する。
【００１６】
引き紐スイッチ１１６は、引き紐が引っ張られたときに、商用電源の供給を遮断して、疑似的に停電状態にする。この疑似的な停電状態は、バッテリ１１５が寿命であるか否かを確認するものであり、引き紐が引っ張られたときに、バッテリ１１５からの電力で所定時間、直管形ランプ２００を点灯させることができるかを確認する。なお、引き紐スイッチ１１６は、プッシュスイッチなどであってもよい。また、引き紐スイッチ１１６によってバッテリ１１５の寿命があるか否かを確認できればよいので、疑似的な停電状態にする際に、直接的に商用電源を遮断するようにしてもよいし、一部の回路動作を停止させるようにしてもよい。
【００１７】
＜本体カバー部１２０＞
図１及び図２を参照して、実施の形態１に係る本体カバー部１２０の構成を説明する。
本体カバー部１２０は、長手方向に延びた略台形柱形状である。本体カバー部１２０は、台形の下辺側が長手方向に開口しており、フレーム部１１１を覆って本体フレーム部１１０に取り付けられる。本体カバー部１２０は、フレーム部１１１を覆った状態で、摘みネジ１２０２によりカバー取付部１１７に固定される。
本体カバー部１２０は、フレーム部１１１に取り付けられた常用電源ユニット１１３、非常用電源ユニット１１４、バッテリ１１５などを覆って、照明器具１００の意匠性を高める。
【００１８】
本体カバー部１２０は、台形形状の上辺側に長手方向に延びたランプ対向部１２１を有する。本体カバー部１２０のランプ対向部１２１の長手方向の両側の端部には、ランプソケット１１２を貫通させる貫通孔１２０１が形成される。本体カバー部１２０は、ランプソケット１１２を貫通孔１２０１に貫通させた状態でフレーム部１１１を覆い、摘みネジ１２０２によりカバー取付部１１７に固定される。
また、本体カバー部１２０は、外表面を高反射材で塗装することにより、直管形ランプ２００が発する光を反射する機能を有する。
【００１９】
＜ランプカバー１３０＞
図１及び図２を参照して、実施の形態１に係るランプカバー１３０の構成を説明する。
ランプカバー１３０は、直管形ランプ２００が装着される照明器具１００であって直管形ランプ２００に対向したランプ対向部１２１を備えた照明器具１００に取り付けられる。
ランプカバー１３０は、本体カバー部１２０に取り付けられるカバー本体１３１と、このカバー本体１３１に対して移動可能に取り付けられるカバー部１３２と、カバー本体１３１をランプ対向部１２１に固定する固定部材１３１１と、カバー部１３２をカバー本体１３１に取り付ける取付部材１３３とを有する。
【００２０】
カバー部１３２は、Ｕ字形状に形成され、直管形ランプ２００の端部の周囲の一部を囲む。具体的には、カバー部１３２は、直管形ランプ２００の端部の口金２０１部分の周囲の一部を囲む。
カバー本体１３１は、ランプ対向部１２１に取り付けられた状態でカバー部１３２のＵ字形状の両側の端部が取り付けられる。
固定部材１３１１は、カバー本体１３１をランプ対向部１２１に固定する。固定部材１３１１は、具体的には、リベットである。
取付部材１３３は、カバー部１３２のＵ字形状の両側の端部の各々をカバー本体１３１に対して移動可能に取り付ける。取付部材１３３は、具体的には、ネジである。
【００２１】
＜カバー本体１３１＞
図３及び図４を参照して、実施の形態１に係るカバー本体１３１の構成を説明する。
カバー本体１３１は、器具本体３００を構成する本体カバー部１２０のランプ対向部１２１に接する取付接部１３１２と、この取付接部１３１２から、直管形ランプ２００の両側であって直管形ランプ２００の中心軸を挟んだ両側の各々に立ち上がった立上げ部１３１３とを備える。立上げ部１３１３は、取付接部１３１２の端部が折り曲げられて形成される。
図２では、取付接部１３１２は、固定部材１３１１によりランプ対向部１２１に固定された状態である。
【００２２】
取付接部１３１２には、リベットなどの固定部材１３１１を通過させる取付孔１３１５が形成される。
図２に示すように、取付接部１３１２は、本体カバー部１２０のランプ対向部１２１の短手方向に沿って配置される。取付接部１３１２は、固定部材１３１１などの固定部材によりランプ対向部１２１に締結される。
立上げ部１３１３には、ネジ穴である締結穴１３１４が形成される。立上げ部１３１３には、カバー部１３２をカバー本体１３１に固定するためのネジなどの取付部材１３３が螺合される。
【００２３】
＜カバー部１３２＞
図５及び図６を参照して、実施の形態１に係るカバー部１３２の構成を説明する。
カバー部１３２は、Ｕ字形状に折り曲げられて形成される。カバー部１３２は、両端部に細孔状のスライドガイド１４が形成されている。
スライドガイド１４は、ネジなどの取付部材１３３を挿通させる孔である。スライドガイド１４がカバー本体１３１の締結穴１３１４と連通するように配置され、連通した部分に取付部材１３３が螺合することにより、カバー部１３２がカバー本体１３１に取り付けられる。取付部材１３３を緩めることにより、カバー部１３２はカバー本体１３１に対して移動可能になる。つまり、カバー部１３２は、取付部材１３３を介して、カバー本体１３１に対してスライド可能になる。また、カバー部１３２は、取付部材１３３を回転軸として、カバー本体１３１に対して回転可能になる。つまり、カバー部１３２は、長手形状の器具本体３００の短手方向を回転軸として、カバー本体１３１に対して回転可能になる。
図１では、カバー部１３２のＵ字形状の両側の端部１３２５の各々は、取付部材１３３により立上げ部１３１３に固定された状態である。
【００２４】
取付部材１３３は、具体的には、ネジである。取付部材１３３は、工具を用いて固定が行われる部材を適用することが好ましい。すなわち、取付部材１３３は、引掛け構造などのように、工具を用いずに固定及び固定の解除ができる構成ではなく、ネジやリベットなどのように工具を用いる部材であることが好ましい。
【００２５】
スライドガイド１４は、略直角に曲がった曲げ部１５と、曲げ部の両側に直線状の直線部１６とを有する。
スライドガイド１４は、曲げ部１５として、略直角に曲がった第１曲げ部１５１と第２曲げ部１５２と第３曲げ部１５３とを有する。また、スライドガイド１４は、直線部１６として、第１曲げ部１５１の一方に第１直線部１６１と、第１曲げ部１５１と第２曲げ部１５２との間に第２直線部１６２と、第２曲げ部１５２と第３曲げ部１５３との間に第３直線部１６３と、第３曲げ部１５３の他方に第４直線部１６４とを有する。
第１曲げ部１５１と第２曲げ部１５２と第３曲げ部１５３とは、同一方向に略直角に曲がっている。これにより、スライドガイド１４は、ロ字の一部が欠けた形状となっている。
【００２６】
＊＊＊動作の説明＊＊＊
図７から図１５を参照して、実施の形態１に係る照明装置５００の取り付け工程を説明する。
＜工程１１＞
図７に示すように、カバー本体１３１が固定部材１３１１により本体カバー部１２０に締結される。カバー本体１３１は、ランプ対向部１２１の長手方向の端部に、取付接部１３１２がランプ対向部１２１の短手方向に沿うように取り付けられる。
カバー本体１３１は、ランプソケット１１２を貫通させる貫通孔１２０１の近傍に取り付けられる。実施の形態１では、カバー本体１３１の取付接部１３１２が長方形の貫通孔１２０１におけるランプ対向部１２１中央側の長辺に沿うように取り付けられる。
【００２７】
カバー本体１３１を本体カバー部１２０に取り付ける工程は、製造工場で行われてもよいし、照明器具１００を天井などの被取付材に取り付ける作業者によって行われてもよい。
なお、上述したように、取付部材１３３は工具を用いて固定が行われる部材を適用することが好ましい。しかし、固定部材１３１１は必ずしも工具を用いて固定する部材でなくても構わない。
【００２８】
＜工程１２＞
図８に示すように、カバー部１３２がカバー本体１３１に取付部材１３３により取り付けられる。このとき、カバー部１３２は、本体カバー部１２０の長手方向端部側に横倒しになった状態で、カバー本体１３１に取り付けられる。横倒しになった状態とは、カバー部１３２の側部１３２１が本体カバー部１２０のランプ対向部１２１と対向した状態である。
カバー部１３２の両側の端部１３２５に形成されたスライドガイド１４における第４直線部１６４の端部１６４１と、カバー本体１３１の締結穴１３１４とに取付部材１３３が挿通され、カバー部１３２がカバー本体１３１に取り付けられる。端部１６４１と締結穴１３１４とに取付部材１３３が挿通されることにより、カバー部１３２の側部１３２１がランプ対向部１２１に接した状態になる。
【００２９】
カバー部１３２がカバー本体１３１に取り付ける工程は、工具を用いて、作業者によって行われる。
【００３０】
＜工程１３＞
図９に示すように、天井等の被取付材に取り付けられた本体フレーム部１１０に本体カバー部１２０を取り付け、摘みネジ１２０２で固定する。これにより、ランプソケット１１２が貫通孔１２０１を貫通して、カバー本体１３１と、横倒しになった状態のカバー部１３２との間から突出した状態になる。
【００３１】
＜工程１４＞
図１０に示すように、直管形ランプ２００の口金２０１がランプソケット１１２に装着される。
【００３２】
＜工程１５＞
図１１から図１５に示すように、取付部材１３３を介してカバー部１３２をカバー本体１３１に対して移動させ、カバー部１３２によって直管形ランプ２００の口金２０１の一部が覆われた状態にされる。
【００３３】
具体的には、まず、図１１に示すように、スライドガイド１４における第４直線部１６４の端部１６４１にある取付部材１３３が、第３曲げ部１５３の位置に移動するように、カバー部１３２が下方向にスライドされる。これにより、カバー部１３２の側部１３２１がランプ対向部１２１から離れた状態になる。
次に、図１２に示すように、第３曲げ部１５３にある取付部材１３３が、第２曲げ部１５２の位置に移動するように、カバー部１３２が右方向にスライドされる。次に、図１３に示すように、取付部材１３３を軸としてカバー部１３２が略９０度回転され、カバー部１３２が立ち上がった状態にされる。立ち上がった状態とは、カバー部１３２の両側の端部１３２５がランプ対向部１２１側になり、底部１３２２がランプ対向部１２１から離れた側になった状態である。カバー部１３２の側部１３２１がランプ対向部１２１から離れた状態であるため、カバー部１３２とランプ対向部１２１との間にスペースがあり、カバー部１３２を回転させることができる。
次に、図１４に示すように、第２曲げ部１５２にある取付部材１３３が、第１曲げ部１５１の位置に移動するように、カバー部１３２が右方向にスライドされる。次に、図１５に示すように、第１曲げ部１５１にある取付部材１３３が、第１直線部１６１の端部１６１１の位置に移動するように、カバー部１３２が上方向にスライドされる。これにより、カバー部１３２によって直管形ランプ２００の口金２０１の一部を覆った状態になる。また、このとき、カバー部１３２の両側の端部１３２５がランプ対向部１２１に接した状態になる。
そして、取付部材１３３が締めつけられ、カバー部１３２がカバー本体１３１に固定された状態になる。
【００３４】
図９から図１５を参照して、実施の形態１に係る照明装置５００における直管形ランプ２００の交換工程を説明する。
＜工程２１＞
工程１５の逆の手順により、取付部材１３３を介してカバー部１３２をカバー本体１３１に対して移動させ、カバー部１３２が横倒しになった状態にされる。
【００３５】
具体的には、まず、図１５に示す状態において、取付部材１３３が緩められる。次に、図１４に示すように、第１直線部１６１の端部１６１１にある取付部材１３３が、第１曲げ部１５１の位置に移動するように、カバー部１３２が下方向にスライドされる。これにより、カバー部１３２の両側の端部１３２５がランプ対向部１２１から離れた状態になる。次に、図１３に示すように、第１曲げ部１５１にある取付部材１３３が、第２曲げ部１５２の位置に移動するように、カバー部１３２が左方向にスライドされる。
次に、図１２に示すように、取付部材１３３を軸としてカバー部１３２が略９０度回転され、カバー部１３２が横倒しになった状態にされる。次に、図１１に示すように、第２曲げ部１５２にある取付部材１３３が、第３曲げ部１５３の位置に移動するように、カバー部１３２が左方向にスライドされる。次に、図１０に示すように、第３曲げ部１５３にある取付部材１３３が、第４直線部１６４の端部１６４１の位置に移動するように、カバー部１３２が上方向にスライドされる。これにより、カバー部１３２の側部１３２１がランプ対向部１２１に接した状態になる。そして、取付部材１３３が締めつけられ、カバー部１３２がカバー本体１３１に固定された状態になる。
【００３６】
＜工程２２＞
直管形ランプ２００の口金２０１がランプソケット１１２から取り外される。そして、新しい直管形ランプ２００の口金２０１がランプソケット１１２に装着される。
【００３７】
＜工程２３＞
工程１５と同じ手順により、取付部材１３３を介してカバー部１３２をカバー本体１３１に対して移動させ、カバー部１３２によって直管形ランプ２００の口金２０１の一部が覆われた状態にされる。具体的な手順は、工程１５と同じである。
【００３８】
＊＊＊実施の形態１の効果＊＊＊
以上のように、実施の形態１に係るランプカバー１３０は、カバー部１３２がカバー本体１３１に対して移動可能に取り付けられる。そのため、ランプカバー１３０を取り外すことなく、ランプカバー１３０を移動させることにより、直管形ランプ２００を交換することが可能である。
直管形ランプ２００を交換する際、ネジといった取付部材１３３を取り外す必要がないため、取付部材１３３を紛失することがない。
【００３９】
また、実施の形態１に係るランプカバー１３０は、取付部材１３３でカバー部１３２がカバー本体１３１に取り付けられる。そのため、工具なしでは、直管形ランプ２００を外すことができなくなる。したがって、直管形ランプ２００の交換は、指定業者などが行うようになるので、適用ランプ以外の直管形ランプ２００が取り付けられることはない。
これにより、実施の形態１に係るランプカバー１３０によれば、専用の口金及びソケットなどを用いることなく、指定していない直管形ランプが取り付けられることを防止できる。
【００４０】
また、実施の形態１に係るランプカバー１３０は、カバー本体１３１はランプソケット１１２の近傍に隣接して取り付けられる。直管形ランプ２００の口金２０１部分は、樹脂製であることが多いので、火災などの影響で直管形ランプ２００の口金２０１部分が溶ける場合がある。しかし、上述したようにカバー部１３２は口金部分の少なくとも一部を覆っているので、カバー本体１３１及びカバー部１３２を金属などの不燃材により形成することにより、溶けた口金部分が床などに垂れることを防止することができる。
【００４１】
＊＊＊他の構成＊＊＊
実施の形態１では、カバー本体１３１を本体カバー部１２０に固定する固定部材１３１１をリベットとしたが、ネジでも構わない。あるいは、嵌め込み構造や引掛け構造などのように工具を用いずに取り付ける構成でも構わない。
上述したように、取付部材１３３は工具を用いて固定が行われる部材を適用する。カバー本体１３１とカバー部１３２との固定は、工具を必要とする固定方法であればネジでなくてもリベットやその他の方法でも構わない。
【００４２】
実施の形態２．
実施の形態２は、スライドガイド１４が直線状に形成された点が実施の形態１と異なる。実施の形態２では、この異なる点を説明する。
【００４３】
＊＊＊構成の説明＊＊＊
図１６を参照して、実施の形態２に係るカバー部１３２Ｂの構成を説明する。
カバー部１３２Ｂに形成されたスライドガイド１４Ｂは、曲げ部を有しておらず、直線状に形成されている。
【００４４】
＊＊＊動作の説明＊＊＊
図１７から図１９を参照して、実施の形態２に係る照明装置５００の取り付け工程を説明する。
工程１１から工程１４は、実施の形態１と同じである。
但し、工程１２では、図１７に示すように、カバー部１３２Ｂの両側の端部１３２５Ｂに形成されたスライドガイド１４Ｂの一方の端部１４１と、カバー本体１３１の締結穴１３１４とに取付部材１３３が挿通され、カバー部１３２がカバー本体１３１に取り付けられる。
【００４５】
＜工程１５＞
取付部材１３３を介してカバー部１３２をカバー本体１３１に対して移動させ、カバー部１３２によって直管形ランプ２００の口金２０１の一部を覆った状態にする。
【００４６】
具体的には、まず、図１８に示すように、取付部材１３３を軸としてカバー部１３２が略９０度回転され、カバー部１３２が立ち上がった状態にされる。次に、図１９に示すように、スライドガイド１４Ｂの一方の端部１４１にある取付部材１３３が、他方の端部１４２の位置に移動するように、カバー部１３２が上方向にスライドされる。これにより、カバー部１３２がランプ対向部１２１に当接した状態になる。そして、取付部材１３３が締めつけられ、カバー部１３２がカバー本体１３１に固定された状態になる。
【００４７】
図１７から図１９を参照して、実施の形態２に係る照明装置５００における直管形ランプ２００の交換工程を説明する。
＜工程２１＞
工程１５の逆の手順により、取付部材１３３を介してカバー部１３２をカバー本体１３１に対して移動させ、カバー部１３２を横倒しになった状態にする。
【００４８】
具体的には、まず、図１９に示す状態において、取付部材１３３が緩められる。図１８に示すように、スライドガイド１４Ｂの他方の端部１４２にある取付部材１３３が、一方の端部１４１の位置に移動するように、カバー部１３２が下方向にスライドされる。次に、図１７示すように、取付部材１３３を軸としてカバー部１３２が略９０度回転され、カバー部１３２が横倒しになった状態にされる。そして、取付部材１３３が締めつけられ、カバー部１３２がカバー本体１３１に固定された状態になる。
【００４９】
工程２２は、実施の形態１と同じである。
【００５０】
＜工程２３＞
実施の形態２の工程１５と同じ手順により、取付部材１３３を介してカバー部１３２をカバー本体１３１に対して移動させ、カバー部１３２によって直管形ランプ２００の口金２０１の一部を覆った状態にする。具体的な手順は、実施の形態２の工程１５と同じである。
【００５１】
＊＊＊実施の形態２の構成＊＊＊
以上のように、実施の形態２に係るランプカバー１３０は、実施の形態１に係るランプカバー１３０と同様に、カバー部１３２がカバー本体１３１に対して移動可能に取り付けられる。そのため、ランプカバー１３０を取り外すことなく、ランプカバー１３０を移動させることにより、直管形ランプ２００を交換することが可能である。
【００５２】
また、実施の形態２に係るランプカバー１３０は、実施の形態１に係るランプカバー１３０に比べ、取り付け工程及び直管形ランプ２００の交換工程において、カバー部１３２をスライドさせる回数が少なくて済む。そのため、作業が容易である。
しかし、実施の形態２に係るランプカバー１３０は、重力等により、カバー部１３２の位置がずれてしまう恐れがある。
【符号の説明】
【００５３】
１００  照明器具、１１０  本体フレーム部、１１１  フレーム部、１１２  ランプソケット、１１３  常用電源ユニット、１１４  非常用電源ユニット、１１５  バッテリ、１１６  引き紐スイッチ、１１７  カバー取付部、１２０  本体カバー部、１２１  ランプ対向部、１２０１  貫通孔、１２０２  摘みネジ、１３０  ランプカバー、１３１  カバー本体、１３１２  取付接部、１３１３  立上げ部、１３１１  固定部材、１３１４  締結穴、１３１５  取付孔、１３２  カバー部、１３２１  側部、１３２２  底部、１３２５  両側の端部、１４，１４Ｂ  スライドガイド、１４１  一方の端部、１４２  他方の端部、１５  曲げ部、１５１  第１曲げ部、１５２  第２曲げ部、１５３  第３曲げ部、１６  直線部、１６１  第１直線部、１６２  第２直線部、１６３  第３直線部、１６４  第４直線部、１３３  取付部材、２００  直管形ランプ、２０１  口金、３００  器具本体、５００  照明装置。
【図１】
0006678474.tif 000002
【図２】
0006678474.tif 000003
【図３】
0006678474.tif 000004
【図４】
0006678474.tif 000005
【図５】
0006678474.tif 000006
【図６】
0006678474.tif 000007
【図７】
0006678474.tif 000008
【図８】
0006678474.tif 000009
【図９】
0006678474.tif 000010
【図１０】
0006678474.tif 000011
【図１１】
0006678474.tif 000012
【図１２】
0006678474.tif 000013
【図１３】
0006678474.tif 000014
【図１４】
0006678474.tif 000015
【図１５】
0006678474.tif 000016
【図１６】
0006678474.tif 000017
【図１７】
0006678474.tif 000018
【図１８】
0006678474.tif 000019
【図１９】
0006678474.tif 000020